(57)【要約】【課題】用紙サイズに拘らず、連続した定着処理を円滑に行う。【解決手段】プリンターの定着装置１３は、用紙に形成されたトナー像を、熱源２３を用いて加熱する加熱部材２０を備える。熱源２３は、用紙の搬送方向に直交する幅方向に沿って配置される複数の加熱体３１、３２及び３３を備え、定着処理を行う用紙の幅が大きい程、より多くの加熱体３１、３２及び３３を加熱するように制御される。そして、定着装置１３は、小サイズの用紙について、幅方向において小サイズの用紙に対応した位置の加熱体３１を加熱して定着処理を行っている間に、小サイズの用紙よりも幅の大きい通常サイズの用紙の定着処理の指示を入力した場合、小サイズの用紙の定着処理の終了前に、幅方向において加熱体３１よりも外側で通常サイズの用紙に対応した位置の加熱体３２及び３３の加熱を開始する。【選択図】図３
2019020482.tif 000002
【特許請求の範囲】
【請求項１】
用紙に形成されたトナー像を、熱源を用いて加熱する加熱部材を備え、
前記熱源は、前記用紙の搬送方向に直交する幅方向に沿って配置される複数の加熱体を備え、定着処理を行う前記用紙の幅が大きい程、より多くの前記加熱体を加熱するように制御され、
所定の幅の第１用紙について、前記幅方向において前記第１用紙に対応した位置の第１加熱体を加熱して定着処理を行っている間に、前記第１用紙よりも幅の大きい第２用紙の定着処理の指示が入力された場合、前記第１用紙の定着処理の終了前に、前記幅方向において前記第１加熱体よりも外側で前記第２用紙に対応した位置の第２加熱体の加熱を開始することを特徴とする定着装置。
【請求項２】
前記加熱部材は、回転可能な定着ベルトを更に備え、
前記複数の加熱体は、前記定着ベルトの内周面に接触して配置されることを特徴とする請求項１に記載の定着装置。
【請求項３】
前記加熱部材の前記定着ベルトに接触して配置され、前記加熱部材との間を通過する前記用紙を加圧する加圧部材を更に備え、
前記複数の加熱体は、前記定着ベルトの内側で、前記定着ベルトを挟んで前記加圧部材と対向して配置されることを特徴とする請求項２に記載の定着装置。
【請求項４】
前記複数の加熱体は、導電性塗料で構成されることを特徴とする請求項１〜３の何れか１項に記載の定着装置。
【請求項５】
請求項１〜４の何れか１項に記載の定着装置を備えていることを特徴とする画像形成装置。
【発明の詳細な説明】
【技術分野】
【０００１】
本発明は、用紙にトナー像を定着させる定着装置と、この定着装置を備えた画像形成装置に関する。
【背景技術】
【０００２】
画像形成装置は、用紙上に形成されたトナー像を加熱定着させる定着装置を備える。定着装置は、トナー像を加熱する加熱部材と、用紙に対してトナー像を加圧する加圧部材とを備える。定着装置では、様々なサイズの用紙のそれぞれに対応して適切な加熱を行うことが求められる。
【０００３】
例えば、特許文献１では、画像加熱装置（定着装置）は、加熱回転体と、加圧回転体と、加熱体と、制御部とを有する。加圧回転体は、加熱回転体との間で画像を担持した記録材を挟持搬送して加熱するニップ部を形成する。加熱体は、加熱回転体を加熱する加熱体であって、加熱回転体の長手方向に沿って並んで配設されており個々に電力投入されて発熱する複数の発熱体を有する。制御部は、装置に導入可能な最大幅サイズの記録材よりも幅が小さい記録材を連続して導入して加熱する際に、記録材の通過部に対応している発熱体と記録材の非通過部に対応している発熱体とに投入する電力量を制御する。
【先行技術文献】
【特許文献】
【０００４】
【特許文献１】特開２０１５−０２８５３１号公報
【発明の概要】
【発明が解決しようとする課題】
【０００５】
用紙の幅方向に沿って複数の加熱体を備えた定着装置では、比較的小サイズの用紙に定着処理を行う場合、幅方向端部の過昇温の抑制や、省エネルギー化を実現するために、用紙幅に応じた必要領域の加熱体を加熱する。そのため、用紙幅より外側の領域の加熱体は通電されないので、小サイズの用紙の定着処理後では、加熱部材の温度は幅方向の中央部に比べて端部で低くなっている。このような状態で、幅がより大きい用紙の定着処理を連続して行う場合、加熱部材の幅方向の端部を定着温度まで加熱する必要があるので、その加熱のためにダウンタイムが生じる。これにより、連続した定着処理を円滑に行うことができない問題が生じる。
【０００６】
そこで、本発明は上記事情を考慮し、用紙サイズに拘らず、連続した定着処理を円滑に行うことを目的とする。
【課題を解決するための手段】
【０００７】
本発明の定着装置は、用紙に形成されたトナー像を、熱源を用いて加熱する加熱部材を備え、前記熱源は、前記用紙の搬送方向に直交する幅方向に沿って配置される複数の加熱体を備え、前記複数の加熱体は、定着処理を行う前記用紙の幅が大きい程、より多くの前記加熱体を加熱するように制御され、所定の幅の第１用紙について、前記幅方向において前記第１用紙に対応した位置の第１加熱体を加熱して定着処理を行っている間に、前記第１用紙よりも幅の大きい第２用紙の定着処理の指示を入力した場合、前記第１用紙の定着処理の終了前に、前記幅方向において前記第１加熱体よりも外側で前記第２用紙に対応した位置の第２加熱体の加熱を開始することを特徴とする。
【０００８】
前記加熱部材は、回転可能な定着ベルトを更に備え、前記複数の加熱体は、前記定着ベルトの内周面に接触して配置されるとよい。
【０００９】
上記の定着装置は、前記加熱部材の前記定着ベルトに接触して配置され、前記加熱部材との間を通過する前記用紙を加圧する加圧部材を更に備え、前記複数の加熱体は、前記定着ベルトの内側で、前記定着ベルトを挟んで前記加圧部材と対向して配置されるとよい。
【００１０】
前記複数の加熱体は、導電性塗料で構成されるとよい。
【００１１】
本発明の画像形成装置は、上記した定着装置を備えていることを特徴とする。
【発明の効果】
【００１２】
本発明によれば、用紙サイズに拘らず、連続した定着処理を円滑に行うことが可能となる。
【図面の簡単な説明】
【００１３】
【図１】本発明の一実施形態に係るプリンターを示す断面図である。
【図２】本発明の一実施形態に係るプリンターの定着装置を示す断面図である。
【図３】本発明の一実施形態に係るプリンターの定着装置における熱源を示す下面図である。
【図４】本発明の一実施形態に係るプリンターの定着装置の電気的構成を示すブロック図である。
【図５】本発明の一実施形態に係るプリンターの定着装置における加熱制御の例を示すグラフである。
【図６】本発明の一実施形態に係るプリンターの定着装置において、小サイズの用紙の印刷ジョブが入力された場合の定着処理の動作を示すフローチャートである。
【発明を実施するための形態】
【００１４】
先ず、本発明の実施形態に係るプリンター１（画像形成装置）の全体の構成について図１を参照しながら説明する。以下、説明の便宜上、図１における紙面手前側をプリンター１の前側とする。各図に適宜付される矢印Ｌ、Ｒ、Ｕ、Ｌｏは、それぞれプリンター１の左側、右側、上側、下側を示している。
【００１５】
プリンター１は、略箱型形状のプリンター本体２を備え、プリンター本体２の下部には用紙（記録媒体）を収納する給紙カセット３が設けられ、プリンター本体２の上部には排紙トレイ４が設けられる。図１では、１つの給紙カセット３が図示されているが、プリンター１は、複数種類のサイズ（例えば、Ａ４サイズやＡ５サイズ等）の用紙を収容するように複数の給紙カセット３を備えてよい。
【００１６】
プリンター本体２内の上部には、レーザー・スキャニング・ユニット（ＬＳＵ）で構成される露光器５が排紙トレイ４の下方に配置され、露光器５の下方には、画像形成部６が設けられる。画像形成部６には、像担持体である感光体ドラム７が回転可能に設けられ、感光体ドラム７の周囲には、帯電器と、トナーコンテナに接続された現像装置と、転写ローラーと、クリーニング装置とが、感光体ドラム７の回転方向に沿って配置される。
【００１７】
また、プリンター本体２の内部には、用紙の搬送経路１０が設けられる。搬送経路１０の上流端には給紙部１１が給紙カセット３の近傍に設けられ、搬送経路１０の中流部には、感光体ドラム７と転写ローラーによって構成される転写部１２が設けられる。搬送経路１０の下流部には定着装置１３が設けられ、搬送経路１０の下流端には排紙部１４が排紙トレイ４の近傍に設けられる。また、プリンター本体２の内部には、定着装置１３を制御する制御装置１５が備えられる。
【００１８】
次に、このような構成を備えたプリンター１の画像形成動作について説明する。プリンター１は、外部のコンピューター等から画像データが入力され、印刷開始の指示がなされると、画像形成動作を開始する。例えば、プリンター１は、画像データの印刷ジョブを入力して蓄積し、蓄積された印刷ジョブを順次、画像形成動作によって処理し、処理後の印刷ジョブを削除する。印刷ジョブでは、印刷される用紙のサイズも指定される。画像形成動作では、先ず、画像形成部６の帯電器によって感光体ドラム７の表面が帯電された後、露光器５からのレーザー光により感光体ドラム７に対して画像データに対応した露光が行われ、感光体ドラム７の表面に静電潜像が形成される。次に、この静電潜像を、画像形成部６の現像装置がトナーを用いてトナー像に現像する。
【００１９】
一方、給紙カセット３に収納された用紙の内、印刷ジョブで指定された用紙が、給紙部１１によって取り出されて搬送経路１０上を搬送される。搬送経路１０上の用紙は、所定のタイミングで転写部１２へと搬送され、転写部１２によって感光体ドラム７上のトナー像が用紙に転写される。トナー像を転写された用紙は、定着装置１３へと搬送され、定着装置１３によって用紙にトナー像が定着される。トナー像が定着された用紙は、排紙部１４から排紙トレイ４に排出される。
【００２０】
次に、定着装置１３の構成について、図２〜図４を参照しながら説明する。図２に示すように、定着装置１３は、加熱部材２０と加圧部材２１とを備える。また、定着装置１３は、駆動源２６（図４参照）、中央温度センサー２７、端部温度センサー２８及び用紙センサー２９を備える。加熱部材２０は、無端状の定着ベルト２２と、定着ベルト２２の中空部に配置される熱源２３とを備える。加熱部材２０及び加圧部材２１は、搬送経路１０を挟んで対向すると共に接触して配置され、加熱部材２０及び加圧部材２１の間に定着ニップＮが形成される。
【００２１】
加熱部材２０の定着ベルト２２は、可撓性を有する材料で、用紙の搬送方向（左右方向）と直交（交差）する用紙の幅方向（前後方向）に長い略円筒状に形成される。定着ベルト２２は、定着装置１３のフレーム（図示せず）内の上部に配置される。また、定着ベルト２２は、前後方向を回転軸方向として、フレームに対して回転可能に取り付けられ、加圧部材２１の回転に従動して回転する。なお、定着ベルト２２の内部には、定着ベルト２２の形状を内側から規制する形状規制部材（図示せず）が備えられてよい。
【００２２】
加熱部材２０の熱源２３は、図３に示すように、用紙の幅方向（前後方向）に長い形状を有する。熱源２３は、幅方向に長い板状の基板３０と、複数の加熱体３１、３２及び３３とから構成される。
【００２３】
複数の加熱体３１、３２及び３３は、基板３０の一面（例えば、下面）上で幅方向に沿って並べられる。熱源２３は、複数の加熱体３１、３２及び３３が設けられる基板３０の一面を加圧部材２１側に向けて、定着ベルト２２の内周面に接触した状態で配置される。また、熱源２３は、幅方向に長い支持部材２４によって支持されていて、定着ベルト２２を内側から加圧部材２１側へと押圧するように配置される。そして、熱源２３は、複数の加熱体３１、３２及び３３を加熱することによって、定着ベルト２２の加圧部材２１側（例えば、下側）を前後方向に亘って加熱する。なお、定着ベルト２２が回転することで、熱源２３によって加熱される定着ベルト２２の箇所は変動する。
【００２４】
複数の加熱体３１、３２及び３３は、例えば、所定の抵抗値を有する導電性塗料で構成され、基板３０に塗布される。複数の加熱体３１、３２及び３３は、加熱部材２０を通過する通常サイズ（例えば、Ａ４サイズ）の用紙の幅を覆う通常サイズ領域Ａに亘って配置される。具体的には、幅方向中央の加熱体３１（第１加熱体）は、加熱部材２０を通過する比較的小サイズ（例えば、Ａ５サイズ）の用紙の幅に対応する小サイズ領域Ｂに亘って配置される。また、幅方向両端の加熱体３２及び３３（第２加熱体）は、幅方向において小サイズ領域Ｂよりも両端側の通常端部領域Ｃに亘って配置される。換言すれば、小サイズの用紙は、所定の幅の第１用紙であり、通常サイズの用紙は、第１用紙よりも幅の大きい第２用紙である。
【００２５】
基板３０の端部には、電源（図示せず）に接続された第１端子３４、第２端子３５及び第３端子３６が設けられている。幅方向中央の加熱体３１の一端は、第１端子３４に接続され、幅方向両端の加熱体３２及び３３の一端は、第２端子３５に接続されている。また、複数の加熱体３１、３２及び３３の他端は、第３端子３６に接続されている。複数の加熱体３１、３２及び３３は、制御装置１５からオンの制御信号が入力されている間は、第１端子３４及び第２端子３５と第３端子３６との間に電源（図示せず）から電力を供給される。一方、複数の加熱体３１、３２及び３３は、制御装置１５からオフの制御信号が入力されている間は、電源（図示せず）からの電力供給を遮断される。
【００２６】
具体的には、第１端子３４及び第３端子３６間に電力を供給することで、幅方向中央の加熱体３１が通電して加熱され、定着ベルト２２の小サイズ領域Ｂが加熱される。また、第２端子３５及び第３端子３６間に電力を供給することで、幅方向両端の加熱体３２及び３３が通電して加熱され、定着ベルト２２の通常端部領域Ｃが加熱される。従って、定着ベルト２２の小サイズ領域Ｂ及び通常端部領域Ｃを同時に加熱することで、定着ベルト２２の通常サイズ領域Ａが加熱される。換言すれば、熱源２３は、複数の加熱体３１、３２及び３３を設けることによって、加熱領域が複数個に分割されている。
【００２７】
加圧部材２１は、用紙の幅方向（前後方向）に長い略円柱状に形成される。加圧部材２１は、定着装置１３のフレーム（図示せず）内の下部において、例えば、定着ベルト２２の下方で、定着ベルト２２と互いの外周面が対向するように配置される。加圧部材２１は、前後方向を回転軸方向として、フレームに対して回転可能に取り付けられ、モーター等の駆動源２６（図４参照）から伝達される回転駆動力によって回転する。加圧部材２１は、例えば、円柱状の金属製の芯材と、この芯材に周設されるシリコンゴム等の弾性層から構成され、この弾性層は離型層によって被覆されてもよい。
【００２８】
次に、定着装置１３を制御する制御装置１５の電気的な構成について図４を参照しながら説明する。制御装置１５は、ＣＰＵ等で構成され、ＲＯＭやＲＡＭ等の記憶装置１６に接続されている。なお、制御装置１５及び記憶装置１６として、プリンター１の各部を統括制御するメイン制御装置及びメイン記憶装置が適用されてもよい。
【００２９】
制御装置１５は、記憶装置１６に格納された制御プログラムや制御用データに基づいて、制御装置１５に接続された各部を制御する。例えば、制御装置１５は、熱源２３、駆動源２６、中央温度センサー２７、端部温度センサー２８及び用紙センサー２９に接続されている。制御装置１５は、プリンター１が印刷ジョブを処理する際に、その印刷ジョブに対応した定着処理を行うように定着装置１３を制御する。
【００３０】
例えば、通常サイズの用紙の印刷ジョブが入力された場合の定着処理について説明する。この場合、制御装置１５は、通常サイズの用紙に対応する複数の加熱体３１、３２及び３３を加熱するように熱源２３を制御する。このとき、制御装置１５は、定着ベルト２２の小サイズ領域Ｂ及び通常端部領域Ｃの温度をそれぞれ中央温度センサー２７及び端部温度センサー２８によって監視していて、即ち、通常サイズ領域Ａの温度を監視している。そして、制御装置１５は、定着ベルト２２の通常サイズ領域Ａの温度が所定の定着温度（図５参照）に到達するまで、複数の加熱体３１、３２及び３３の加熱を継続し、定着ベルト２２の温度が定着温度に到達すると、複数の加熱体３１、３２及び３３の加熱と停止とを切り換えることによって、定着ベルト２２の温度を定着温度に維持する。
【００３１】
また、１枚以上の小サイズの用紙の印刷ジョブ（以下、第１ジョブと称する）が入力された場合の定着処理について、図６のフローチャートを参照しながら説明する。第１ジョブが入力された場合（ステップＳ１）、制御装置１５は、小サイズの用紙に対応する幅方向中央の加熱体３１を加熱するように熱源２３を制御する（ステップＳ２）。このとき、制御装置１５は、定着ベルト２２の小サイズ領域Ｂの温度を中央温度センサー２７によって監視していて、通常サイズの用紙と同様にして、定着ベルト２２の小サイズ領域Ｂの温度Ｔ１を定着温度まで上昇させて維持するように熱源２３を制御する（図５参照）。定着ベルト２２の小サイズ領域Ｂの温度Ｔ１が定着温度になると、制御装置１５は、第１ジョブの定着処理を開始する。なお、このとき、幅方向両端の加熱体３２及び３３は加熱されないが、定着ベルト２２の通常端部領域Ｃの温度Ｔ２は、幅方向中央の加熱体３１による加熱の影響を受けて、常温よりも高くなることがある。
【００３２】
更に、第１ジョブが入力されたとき、制御装置１５は、定着装置１３での第１ジョブの終了時間ＦＴを予測的に算出する。この終了時間ＦＴは、第１ジョブの最後の用紙が、加熱部材２０及び加圧部材２１の間の定着ニップＮの通過を終了する時間である。以下に、終了時間ＦＴの算出について説明する。
【００３３】
定着装置１３では、小サイズの用紙の定着処理時の加圧部材２１（加熱部材２０）の回転速度が予め所定速度に設定されて記憶装置１６に記憶されている。また、定着装置１３では、１枚の小サイズの用紙の搬送方向の長さも予め定義又は設定されて記憶装置１６に記憶されている。そのため、１枚の小サイズの用紙が定着ニップＮを通過する間の単位通過時間は、１枚の小サイズの用紙の搬送方向の長さを、加圧部材２１の回転速度で除算することによって予め算出されて記憶装置１６に記憶されている。そして、制御装置１５は、第１ジョブが入力されたときに、第１ジョブの小サイズの用紙数に１枚の小サイズの用紙の単位通過時間を乗算することによって、第１ジョブの１枚以上の小サイズの用紙の全てが定着ニップＮを通過する間の総通過時間ＰＴを算出する（ステップＳ３）。なお、総通過時間ＰＴの算出では、第１ジョブの１枚以上の小サイズの用紙が順次所定の間隔（紙間時間）を空けて定着処理される場合には、第１ジョブの用紙数から１を減算した数に紙間時間を乗算した時間を加算してよい。
【００３４】
また、定着装置１３では、用紙センサー２９によって、定着ニップＮを通過する用紙を検出している。制御装置１５は、用紙センサー２９の検出結果に基づいて、第１ジョブの１枚以上の小サイズの用紙の内の１枚目の用紙が、定着ニップＮの通過を開始する際の第１ジョブ開始時間ＳＴ１を測定して記憶装置１６に記憶しておく（ステップＳ４）。そして、制御装置１５は、第１ジョブ開始時間ＳＴ１に総通過時間ＰＴを加算することで、定着装置１３での第１ジョブの終了時間ＦＴを算出する（ステップＳ５）。
【００３５】
ところで、小サイズの用紙の印刷ジョブに連続して、通常サイズの用紙の印刷ジョブ（以下、第２ジョブと称する）が入力されることがある（ステップＳ６：ＹＥＳ）。このとき、制御装置１５は、図５に示すように、第１ジョブの小サイズの用紙の定着処理の終了時に定着ベルト２２の通常端部領域Ｃの温度Ｔ２が定着温度になるように、第２ジョブの開始前であって第１ジョブの処理中又はその前に幅方向両端の加熱体３２及び３３の加熱を開始するように熱源２３を制御する。
【００３６】
例えば、定着装置１３では、幅方向両端の加熱体３２及び３３の加熱を開始してから、定着ベルト２２の通常端部領域Ｃの温度Ｔ２が定着温度に到達するまでの到達時間ＡＴが予め測定又は算出されて記憶装置１６に記憶されている。そして、制御装置１５は、第１ジョブの処理中に第２ジョブが入力されたときに、第１ジョブの終了時間ＦＴからこの到達時間ＡＴを減算することによって、第１ジョブの定着処理中に第２ジョブのために幅方向両端の加熱体３２及び３３の加熱を開始する加熱開始時間ＨＴを算出する（ステップＳ７）。
【００３７】
そして、加熱開始時間ＨＴに到達すると（ステップＳ８：ＹＥＳ）、制御装置１５は、幅方向両端の加熱体３２及び３３の加熱を開始するように熱源２３を制御する（ステップＳ９）。このとき、制御装置１５は、定着ベルト２２の通常端部領域Ｃの温度Ｔ２を端部温度センサー２８によって監視していて、定着ベルト２２の通常端部領域Ｃの温度Ｔ２を定着温度まで上昇させる。
【００３８】
その後、第１ジョブの終了時間ＦＴに到達すると（ステップＳ１０：ＹＥＳ）、制御装置１５は、第１ジョブの定着処理を終了する（ステップＳ１１）。このとき、加熱開始時間ＨＴから、幅方向両端の加熱体３２及び３３の定着温度への到達時間ＡＴが経過していて、定着ベルト２２の通常端部領域Ｃの温度Ｔ２は定着温度になっているので、制御装置１５は、第２ジョブの定着処理を開始することができる。
【００３９】
また、その後、第２ジョブの定着処理が終了すると（ステップＳ１２：ＹＥＳ）、制御装置１５は、幅方向中央の加熱体３１及び幅方向両端の加熱体３２及び３３の加熱を停止するように熱源２３を制御する。
【００４０】
なお、小サイズの用紙の印刷ジョブ（第１ジョブ）に連続して通常サイズの用紙の印刷ジョブ（第２ジョブ）が入力されない場合には（ステップＳ６：ＮＯ）、幅方向両端の加熱体３２及び３３の加熱開始時間ＨＴを行う必要はない。そして、第１ジョブの定着処理が終了すると（ステップＳ１３：ＹＥＳ）、制御装置１５は、幅方向中央の加熱体３１の加熱を停止するように熱源２３を制御する。
【００４１】
本実施形態によれば、上述のように、プリンター１（画像形成装置）の定着装置１３は、用紙に形成されたトナー像を、熱源２３を用いて加熱する加熱部材２０を備える。熱源２３は、用紙の搬送方向に直交する幅方向に沿って配置される複数の加熱体３１、３２及び３３を備え、定着処理を行う用紙の幅が大きい程、より多くの加熱体３１、３２及び３３を加熱するように制御される。そして、定着装置１３は、小サイズの用紙（所定の幅の第１用紙）について、幅方向において小サイズの用紙に対応した位置の加熱体３１（第１加熱体）を加熱して定着処理を行っている間に、小サイズの用紙よりも幅の大きい通常サイズの用紙（第２用紙）の定着処理の指示を入力した場合、小サイズの用紙の定着処理の終了前に、幅方向において加熱体３１よりも外側で通常サイズの用紙に対応した位置の加熱体３２及び３３（第２加熱体）の加熱を開始する。
【００４２】
これにより、異なるサイズの用紙の定着処理を連続して行う場合、後続の定着処理を開始する前に、後続の定着処理の用紙に合わせて熱源２３を十分に加熱しておくことができる。そのため、後続の定着処理のための熱源２３の加熱時間を短縮することができ、後続の定着処理の準備に要するダウンタイムを抑制することができる。従って、用紙サイズに拘らず、連続した定着処理を円滑に行うことが可能となる。
【００４３】
また、制御装置１５では、加熱部材２０は、回転可能な定着ベルト２２を更に備え、複数の加熱体３１、３２及び３３は、定着ベルト２２の内周面に接触して配置される。これにより、内側から定着ベルト２２を加熱する構成において、用紙サイズに拘らず、連続した定着処理を円滑に行うことが可能となる。
【００４４】
更に、制御装置１５は、加熱部材２０の定着ベルト２２に接触して配置され、加熱部材２０との間を通過する用紙を加圧する加圧部材２１を更に備える。
そして、複数の加熱体３１、３２及び３３は、定着ベルト２２の内側で、定着ベルト２２を挟んで加圧部材２１と対向して配置される。これにより、複数の加熱体３１、３２及び３３は、定着ベルト２２の内周面に接触して加熱するために、最適な位置に配置される。そして、定着ベルト２２の加圧部材２１側を加熱するので、定着ベルト２２の他の部分を加熱する構成に比べて、加熱時間を短縮することができる。
【００４５】
また、制御装置１５では、複数の加熱体３１、３２及び３３は、導電性塗料で構成される。これにより、熱源２３の加熱領域を分割した複数の加熱体３１、３２及び３３の構造を簡易に実現することができる。
【００４６】
上記した実施形態では、幅方向両端の加熱体３２及び３３の加熱開始時間ＨＴを、第１ジョブの終了時間ＦＴを基準として算出する例を説明したが、加熱開始時間ＨＴの算出はこの例に限定されない。例えば、他の実施形態では、加熱開始時間ＨＴは、第２ジョブの開始時間を基準として算出されてもよい。この場合、第２ジョブの開始時間の算出には、第１ジョブと第２ジョブとの間の紙間時間を考慮してもよい。
【００４７】
また、上記した実施形態では、第１ジョブが入力されたときに、第１ジョブの終了時間ＦＴを算出する例を説明したが、終了時間ＦＴの算出はこの例に限定されない。例えば、他の実施形態では、終了時間ＦＴは、第２ジョブが入力されたときに算出されてもよい。
【００４８】
更に、上記した実施形態では、２つのサイズの用紙に対応するために、熱源２３が３つの加熱体３１、３２及び３３から構成される例を説明するが、熱源２３の構成はこの例に限定されない。例えば、他の実施形態では、熱源２３は、２つのサイズの用紙に対応するために、２つの加熱体から構成されてもよく、あるいは、３つ以上のサイズの用紙に対応するために、４つ以上の加熱体から構成されてもよい。
【００４９】
本実施形態では、モノクロのプリンター１に本発明の構成を適用する場合について説明したが、他の異なる実施形態では、カラープリンター、複写機、ファクシミリ、複合機等の他の画像形成装置に本発明の構成を適用することも可能である。
【符号の説明】
【００５０】
１  プリンター（画像形成装置）
６  画像形成部
１０  搬送経路
１３  定着装置
１５  制御装置
２０  加熱部材
２１  加圧部材
２２  定着ベルト
２３  熱源
２７  中央温度センサー
２８  端部温度センサー
２９  用紙センサー
３０  基板
３１、３２、３３  加熱体
【図１】
2019020482.tif 000003
【図２】
2019020482.tif 000004
【図３】
2019020482.tif 000005
【図４】
2019020482.tif 000006
【図５】
2019020482.tif 000007
【図６】
2019020482.tif 000008